(57)【要約】【課題】  装填された紙類の脱落を確実に防止できる構成を備えた紙類ホルダーを提供する。【解決手段】  １枚の透明ないし半透明合成樹脂シートにおける両側部を折り曲げ、折り曲げられた中央部の基部２をＡ５サイズ以下の幅寸法でＡ５サイズ以上の縦寸法に構成し、折り曲げられた側部３，４を基部２の左右方向中央部で重ねた状態とし、重ねられた下方に位置する一方の側部３は少なくとも下縁３aを基部２に溶着などして綴じ部５を形成し、綴じ部５に連続する折り曲げ先端縁３c及び重ねられた上方に位置する他方の側部４が基部２から分離されて折畳み可能となって収納部７に形成されていることを特徴としている。【選択図】        図３
0003121002.tif 000002
【実用新案登録請求の範囲】
【請求項１】
１枚の透明ないし半透明合成樹脂シートにおける両側部を折り曲げ、折り曲げられた中央部の基部をＡ５サイズ以下の幅寸法でＡ５サイズ以上の縦寸法に構成し、折り曲げられた側部を基部の左右方向中央部で重ねた状態とし、重ねられた下方に位置する一方の側部は上下方向の少なくとも下縁を基部に溶着等して綴じ部に形成し、綴じ部に連続する折り曲げ先端縁および重ねられた上方に位置する他方の側部が基部から分離されて収納部に形成されていることを特徴とする紙類ホルダー
【請求項２】
請求項１記載の紙類ホルダーにおいて、上記綴じ部が下縁に形成され、上縁が基部から分離されていることを特徴とする紙類ホルダー。
【請求項３】
請求項１記載の紙類ホルダーにおいて、上記綴じ部が上下縁に形成されていることを特徴とする紙類ホルダー。
【請求項４】
１枚のシートの中央部を谷折り部として折り曲げ、折り曲げられた左右の基部をＡ５サイズ以下の幅寸法でＡ５以上の縦寸法に構成し、基部の先端部をさらに折り返して基部の両側に折り返し側部が形成され、前記折り返し側部の各先端を上記谷折り部近傍にて対向させ、各先端の上下方向の下縁を前記シートに溶着等して綴じ部を形成し、各先端の上下方向の上縁を前記シートの基部から分離するとともに上縁の角部をカットして案内部を設けて収納部が形成されていることを特徴とする紙類ホルダー。
【請求項５】
請求項４記載の紙類ホルダーにおいて、上記案内部の内側に沿って筋押部が形成されていることを特徴とする紙類ホルダー。
【請求項６】
請求項１ないし５のいずれか記載の紙類ホルダーにおいて、上記側部または基部の一部には透視部が形成されていることを特徴とする紙類ホルダー。
【請求項７】
請求項１ないし６のいずれか記載の紙類ホルダーにおいて、上記側部または基部の一部には装飾部が形成されていることを特徴とする紙類ホルダー。
【請求項８】
請求項１ないし８のいずれか記載の紙類ホルダーにおいて、上記収納部には熨斗袋等が収納される寸法に構成されていることを特徴とする紙類ホルダー。
【考案の詳細な説明】
【技術分野】
【０００１】
本考案は、紙類ホルダーに関し、さらに詳しくは、紙類の脱落防止および内部の紙類を透視可能な構成を備えた紙類ホルダーに関する。
【背景技術】
【０００２】
周知のように、書類などを脱落しない状態で挟み込んで保持しておくものの一つにクリアホルダあるいはクリアファイルと称させるものがある（例えば、特許文献１）。  
上記特許文献１には、１枚のシートを折り曲げて重ね合わせ、折り曲げ位置に隣接する２辺を溶着などにより一体化して綴じ部とし、残りの１辺から書類の出し入れを行えるようにした構成が開示されている。
また、上述したクリアホルダあるいはクリアファイル（以下、クリアファイルと称する）の別例としては、封筒などの書類入れをクリアファイル構成材質により形成し、その一部にミシン面を設けてこの部分を切り裂くことで特許文献１に開示されている構成と同様なクリアファイルとして用いることができる構成が提案されている（例えば、特許文献２）。
【０００３】
【特許文献１】特開２０００−１５９７２号公報（段落「０００４」欄）
【特許文献２】実用新案登録第３１０６９４７号（段落「０００７」欄）
【考案の開示】
【考案が解決しようとする課題】
【０００４】
ところで、クリアファイルは、書類等を整理整頓した状態で保管できるようにすることを目的としていることから内部に装填された書類などを判別しやすく、そして、装填された書類などの挿脱を容易化することから、その構成として、半透明あるいは透明の材料を用いて折り曲げられた片部の先端縁部がこれに重なる片部の先端縁部と同じ位置に合致する構成が多い。つまり、折り曲げ箇所が１箇所という構成が多い。
しかし、この構成では、書類の挿脱口側を傾けると、装填されている書類が抜け出すことがあり、いわゆる、脱落してしまう虞がある。特に、挿脱口は常時開放した状態であるので、上述したように不用意に傾けた際には脱落しやすくなることが多い。
【０００５】
また、クリアファイルは所謂Ａ４、Ｂ５サイズなどの規格用紙サイズで提供されており、特殊サイズは提供されていない状況にあった。
【０００６】
さらに、例えば仏祝儀袋などは、規格用紙サイズよりも縦長のサイズに構成されているので、横幅に合わせると縦寸法が短くなり、縦寸法に合わせると横幅が大きすぎることとなるので、クリアファイルに挟み込んでバッグなどに入れて持ち運ぶことが不都合であった。
【０００７】
本考案の目的は、上記従来のクリアホルダやクリアファイルと称される紙類ホルダーにおける問題に鑑み、装填された紙類の脱落を確実に防止できる構成を備えた紙類ホルダーを提供することにある。
【課題を解決するための手段】
【０００８】
本考案の請求項１に係る紙類ホルダーの特徴は、１枚の透明ないし半透明合成樹脂シートにおける両側部を折り曲げ、折り曲げられた中央部の基部をＡ５サイズ以下の幅寸法でＡ５サイズ以上の縦寸法に構成し、折り曲げられた側部を基部の左右方向中央部で重ねた状態とし、重ねられた下方に位置する一方の側部は上下方向の少なくとも下縁を基部に溶着等して綴じ部に形成し、綴じ部に連続する折り曲げ先端縁および重ねられた上方に位置する他方の側部が基部から分離されて収納部に形成されていることにある。
【０００９】
本考案の請求項２に係る紙類ホルダーの特徴は、請求項１記載の紙類ホルダーにおいて、上記綴じ部が下縁に形成され、上縁が基部から分離されていることにある。
【００１０】
本考案の請求項３に係る紙類ホルダーの特徴は、請求項１記載の紙類ホルダーにおいて、上記綴じ部が上下縁に形成されていることにある。
【００１１】
本考案の請求項４に係る紙類ホルダーの特徴は、１枚のシートの中央部を谷折り部として折り曲げ、折り曲げられた左右の基部をＡ５サイズ以下の幅寸法でＡ５以上の縦寸法に構成し、基部の先端部をさらに折り返して基部の両側に折り返し側部が形成され、前記折り返し側部の各先端を上記谷折り部近傍にて対向させ、各先端の上下方向の下縁を前記シートに溶着等して綴じ部を形成し、各先端の上下方向の上縁を前記シートの基部から分離するとともに上縁の角部をカットして案内部を設けて収納部が形成されていることにある。
【００１２】
本考案の請求項５に係る紙類ホルダーの特徴は、請求項４記載の紙類ホルダーにおいて、上記案内部の内側に沿って筋押部が形成されていることにある。
【００１３】
本考案の請求項６に係る紙類ホルダーの特徴は、請求項１ないし５のいずれか記載の紙類ホルダーにおいて、上記側部または基部の一部には透視部が形成されていることにある。
【００１４】
本考案の請求項７に係る紙類ホルダーの特徴は、請求項１ないし６のいずれか記載の紙類ホルダーにおいて、上記側部または基部の一部には装飾部が形成されていることにある。
【００１５】
本考案の請求項８に係る紙類ホルダーの特徴は、請求項１ないし８のいずれか記載の紙類ホルダーにおいて、上記収納部には熨斗袋等が収納される寸法に構成されていることにある。
【考案の効果】
【００１６】
本考案の請求項１によれば、１枚のシートの両側部が折り曲げられ、折り曲げられた側部の一方に紙類を挿脱できる部分を設け、他方の側部がこの一方の側部に重なることで紙類の挿脱部分を塞ぐことができる。これにより、側部の一方に設けられている挿脱部分から装填された紙類が不用意に脱落することを防止することが可能となるうえに、両面から３枚シートで紙類を保護できることとなる。
その結果、基部がＡ５縦長サイズであるので、これに対応する紙類として例えば熨斗袋等を適切な小物サイズに収納してバッグなどにいれて持ち運びすることができ、収納情況をシート外部から確認することが容易である。
【００１７】
本考案の請求項２によれば、一方の側部の上縁ないし先端縁から紙類を挿入して下縁の綴じ部で保護でき、他方の側部の重ねにより３側方から抜け止めすることができる。
【００１８】
本考案の請求項３によれば、一方の側部の先端縁から紙類を挿入して上下縁の綴じ部で保護でき、他方の側部の重ねにより４側方から抜け止めすることができる。
【００１９】
本考案の請求項４によれば、１枚のシートを谷折りした左右の基部の先端部がさらに折り返され、折り返した側部の両方に紙類を挿脱できる部分を設け、双方の側部が重なることで紙類の挿脱部分を塞ぐことができる。これにより、左右の基部にＡ４縦長サイズの紙類を案内部がガイドとなって容易に挿入することができ、紙類が不用意に脱落することを防止することが可能になるうえに、４枚シートで紙類を保護することができる。
【００２０】
本考案の請求項５によれば、筋押部の僅かな隆起によって基部への側部のシート密着が阻止され、紙類を挿入し易い状態が維持される利点がある。加えて、案内部により側部の開き変形が促進されない効果が得られる。
【００２１】
本考案の請求項６、７によれば、透明ないし半透明合成樹脂シートに装飾や透視窓などの印刷加工をおこなうことができ、各種用途に対応可能である。
【考案を実施するための最良の形態】
【００２２】
以下、図示実施例により考案を実施するための最良の形態について説明する。
【実施例】
【００２３】
図１は、本発明の一実施例による紙類ホルダーの外観図を示している。
同図において紙類ホルダー１は、可撓性を有する１枚の合成樹脂等シートを素材として曲げ成形されて形成される。紙類ホルダー１は、１枚のシートにおける両側が折り曲げられて基部２と側部３，４とが形成されている。  
【００２４】
図２において側部３，４は、基部２の幅方向両側において各側部３，４が折り曲げ部Ｌ１，Ｌ２を介して折畳まれ、折り畳まれた際に幅方向中央部で重なり合うことができる長さが得られるように設定されている。折り曲げ部Ｌ１，Ｌ２には、側部３，４を互いに重ならせるような折り曲げ習性が与えられている
【００２５】
一方の側部３は、折り曲げ部Ｌ１に隣接して折り曲げ部Ｌ１と直角な方向に延長された下縁３aが基部２の下縁に溶着されることにより綴じ部５に形成され、側部３が袋状として収納部７が構成されている。つまり、側部３で構成される袋状の保持部７は、綴じ部５を除く上縁３b先端縁３cとが基部２とは分離されて開放できるようになっており、書類等を出し入れできる挿脱口６として用いられるようになっている。
【００２６】
一方、他方の側部４は、折り曲げ部Ｌ２を基端として側部３の上面に折り畳まれる部分であり、開放することで側部３の袋上部に設けてある挿脱部を露呈させるようになっている。
【００２７】
本実施例は以上のような構成であるから、通常は紙類ホルダー１の側部３，４がその折り曲げ先端を折り重ねた状態とされている。
書類あるいは封筒などの紙類を装填する際には、図３に示すように、側部４を開放して側部３の袋状の保持部７を露呈させて挿脱口６から紙類Ｔを収納部７に差し入れることになる。
【００２８】
本実施例によれば、側部３，４同士が折り重なる状態となっているので、一方の側部３で構成される袋状の収納部７に装填された紙類Ｔが不用意に挿脱部から脱落することを防止できる。
しかも、両側の側部３，４を折り畳んで折り曲げ先端を折り重ねて袱紗のような使用形態とすることができるので、封筒などを入れた場合の体裁をよくすることができる。
【００２９】
上述した基部２は、規格サイズ外の書類を保護できる上下サイズに構成されることが望ましい。好ましくは、Ａ５サイズ以下の横幅寸法でＡ５サイズ以上の縦寸法に設定する。例えば幅寸法を約１３４mm程度とし、縦寸法を２１６mm程度として成形すれば、小物入れや熨斗袋等に最適である。
【００３０】
本実施例による紙類ホルダーは、基部２および側部３，４が透明あるいは半透明な合成樹脂シートを用いるが、その一部あるいは全体に図柄などの装飾部５を施すようにしてもよく、また、書類に応じた透視部６を適宜設けることができ、使用形態では単に事務的な書類の保管ではく、上述した小物入れなどの他の用途を可能にできる。
【００３１】
また、図４に示すように、紙類Ｔの全体が対面する基部２には、その一部に透視部６として透視窓を設けることも可能である。この構成によれば、装填されている紙類Ｔを外部の透視部６から確認することもでき、例えば、引き出物などに用いるような場合には、その窓部から引き出物にちなんだ文字などを露呈させることができ、装飾的な機能を持たせることが可能となる。
【００３２】
次の他の実施例について図５を用いて説明する。
図５に示す実施例は、１枚のシートを観音開きができる構成とし、観音開きされる側部にそれぞれ紙類の装填部を設けたことを特徴としている。
【００３３】
つまり、１枚のシート１０は、幅方向中央が谷折り部Ｌ３として折り曲げられ、折り曲げられた左右の基部１１，１２が観音開きできるようになっている。
基部１１，１２は、その幅方向の一方が谷折り部Ｌ３であり、他方がさらに折り返されて左右に側部１３，１４を構成している。このため、側部１３，１４は、その幅方向両側の折り返し部Ｌ４，Ｌ５により折り返された構成とされ、側部１３，１４の先端縁１３ｃ、１４ｃが谷折り部Ｌ３の近傍で対向している。
【００３４】
左右の基部１１，１２と側部１３，１４は各下縁１１a,１２a,１３a,１４aを溶着などにより綴じ部１５、１５に形成されて袋状に構成されている。また、各側部１３，１４の先端の上下方向の上縁１３ｂ,１４bと先端縁１３ｃ、１４ｃとを基部１１，１２から分離すると同時に各側部１３，１４の角部を所望アール状にカットして案内部１８，１８を形成する。案内部１８，１８は先端縁側と上縁側からの差込が容易に行える程度であって、抜け止めが確実な程度のカットで形成される。
また、案内部１８，１８の内側に沿って筋押部１９，１９が設けられる。筋押部１９，１９は案内部１８，１８の左右方向と下方向に延長して配置される。筋押部１９，１９は、図６に示すように、基部１１，１２に側部１３，１４が密着して容易に剥離できない不都合を防ぐことができる程度の僅かな高さhで足り、側部の開閉に伴う補強リブとしても機能する。
【００３５】
本実施例は以上のような構成であるから、観音開きすることで側部１２，１３に形成されている袋状を収納部１７，１７として外部に露呈させることができ、この状態で図５において案内部１８，１８をガイドとして挿脱口１６から符号Ｔで示す紙類を確実に挿脱することができる。また、側部１３，１４が折り畳まれて折り畳まれると同時に先端が谷折り部Ｌ３で抜け止めする３面抜け止め構造であるうえに、相互に折り重なるようになっているので、袋状の収納部１７，１７に装填されている紙類Ｔの脱落を防止することができる。
【００３６】
上述した左右の基部１１，１２は、規格サイズ外の書類を保護できる上下サイズに構成されることが望ましい。好ましくは、Ａ５サイズ以下の横幅寸法でＡ５サイズ以上の縦寸法に設定する。例えば幅寸法を約１３４mm程度とし、縦寸法を２５０mm程度として成形すれば、小物入れや熨斗袋等に最適である。
【００３７】
図示しないが、図１〜図６において、基部２，１１，１２と側部３，４，１３，１４の各上縁を溶着などにより綴じ部とすることも可能である。この場合には、先端縁１３c,１４cを挿脱口として利用することができ、４面から紙類を保護することができる。
【図面の簡単な説明】
【００３８】
【図１】本発明の一実施例による紙類ホルダーの外観図である。
【図２】図１に示した紙類ホルダーの使用状態を示す外観図である。
【図３】図２のＡ−Ａ線断面図である。
【図４】図１に示した紙類ホルダーの要部変形例を示す外観図である。
【図５】本発明の別実施例による紙類ホルダーの構成を説明するための外観図である。
【図６】図５のＢ−Ｂ線拡大断面図である。
【符号の説明】
【００３９】
１、１０、                  紙類ホルダー
２、１１，１２              基部
３，４，１３，１４          側部
５，１５                    綴じ部  
６，１６                    挿脱口
７，１７                    収納部
１８                        案内部
１９                        筋押部
３a,１１a,１２a,１３a,１４a    下縁
３b,１３b,１４b              上縁
３c,１３c,１４c              先端縁
Ｌ１，Ｌ２，Ｌ４、Ｌ５      折り曲げ部
Ｌ３                        谷折り部
【図１】
0003121002.tif 000003
【図２】
0003121002.tif 000004
【図３】
0003121002.tif 000005
【図４】
0003121002.tif 000006
【図５】
0003121002.tif 000007
【図６】
0003121002.tif 000008
【手続補正書】
【提出日】平成18年2月20日(2006.2.20)
【手続補正１】
【補正対象書類名】実用新案登録請求の範囲
【補正対象項目名】請求項８
【補正方法】変更
【補正の内容】
【請求項８】
請求項１ないし７のいずれか記載の紙類ホルダーにおいて、上記収納部には熨斗袋等が収納される寸法に構成されていることを特徴とする紙類ホルダー。